(57)【要約】【課題】  上下二つ折りにして封筒状になる封筒型伝票に関し、印字面として使用できる領域を比較的広く確保することが可能な封筒型伝票を提供すること。【解決手段】  この発明の封筒型伝票は、裏面に剥離層１ｃを設けた表側紙１ａの裏に糊１ｄ付きの裏側紙を接着した用紙１の折目線２より下方の縁に、表側紙１ａがスリッタ３により他の部分と切り離なされて剥離可能となっており、表側紙１ａを剥離すると裏側紙の糊の部分が表れるようになった糊代４を設け、さらに、前記折目線２で印字面を内側にして上下二つ折りにしたときに重なる位置において、表側紙１ａの印字面の折目線２より上方の縁付近に文字記入欄５を設けるとともに、裏側紙１ｂの折目線２より下方の縁付近に窓開け用切目を設けたものとしている。【選択図】  図１
2006035716.tif 000002
【特許請求の範囲】
【請求項１】
裏面に剥離層（１ｃ）を設けた表側紙（１ａ）の裏に糊（１ｄ）付きの裏側紙（１ｂ）を接着した用紙（１）の折目線（２）より下方の縁に、表側紙（１ａ）がスリッタ（３）により他の部分と切り離なされて剥離可能となっており、表側紙（１ａ）を剥離すると裏側紙（１ｂ）の糊（１ｄ）の部分が表れるようになった糊代（４）を設け、さらに、前記折目線（２）で印字面を内側にして上下二つ折りにしたときに重なる位置において、表側紙（１ａ）の印字面の折目線（２）より上方の縁付近に文字記入欄（５）を設けるとともに、裏側紙（１ｂ）の折目線（２）より下方の縁付近に窓開け用切目（６）を設けたことを特徴とする封筒型伝票。
【請求項２】
表側紙（１ａ）がスリッタ（３）により他の部分と切り離なされて剥離するときに、窓開け用切目（６）の内側部分（１４）が表側紙（１ａ）に接着したままともに剥離するようにした請求項１記載の封筒型伝票。
【請求項３】
窓開け用切目（６）の端部の幅が拡大した形状である請求項１又は２記載の封筒型伝票。
【発明の詳細な説明】
【技術分野】
【０００１】
この発明は、給与明細書、納品書、請求書、ダイレクトメール、その他各種の用途で使用可能な封筒型伝票に関するものである。
【背景技術】
【０００２】
従来の封筒型伝票としては、特許文献１に記載のような、裏面に剥離層1cを設けた表側紙1aの裏に糊付きの裏側紙1bを接着した、いわばシール紙を裏返しにして剥離紙側を印字面とした厚さ均一なる単票用紙１の中央よりやや下方に折目線２を設け、さらに折目線２より下方の縁に、表側紙1aがスリッタ６により他の部分と切り離なされて剥離可能となっており、表側紙1aを剥離すると裏側紙1bの糊1dの部分が表れるようになった糊代３を設け、さらに前記折目線２より印字面を内側にして上下二つ折りにしたときに突出する部分７に宛て名記入欄を設けたレーザビームプリンタ用封筒型伝票があった。
【０００３】
この封筒型伝票は、前記突出する部分７の下方に、折り返した前記折目線２より下方の縁の糊1dの部分を接着させることにより封筒状となる。そのため、前記上方に突出する部分７と、さらにその下の糊1dで接着される部分には、給与明細等の情報を印字することができず、印字面として使用できる領域が狭くなっており、記載できる情報量が少なくなっていた。
【特許文献１】特開２００２−１７８６７２号公報
【発明の開示】
【発明が解決しようとする課題】
【０００４】
そこで、この発明は、上下二つ折りにして封筒状になる封筒型伝票に関し、印字面として使用できる領域を比較的広く確保することが可能な封筒型伝票を提供することを課題とする。
【課題を解決するための手段】
【０００５】
この発明の封筒型伝票は、裏面に剥離層１ｃを設けた表側紙１ａの裏に糊１ｄ付きの裏側紙１ｂを接着した用紙１の折目線２より下方の縁に、表側紙１ａがスリッタ３により他の部分と切り離なされて剥離可能となっており、表側紙１ａを剥離すると裏側紙１ｂの糊１ｄの部分が表れるようになった糊代４を設け、さらに、前記折目線２で印字面を内側にして上下二つ折りにしたときに重なる位置において、表側紙１ａの印字面の折目線２より上方の縁付近に文字記入欄５を設けるとともに、裏側紙１ｂの折目線２より下方の縁付近に窓開け用切目６を設けたものとしている。
【０００６】
さらに、表側紙１ａがスリッタ３により他の部分と切り離なされて剥離するときに、窓開け用切目６の内側部分１４が表側紙１ａに接着したままともに剥離するようにすることができる。
【０００７】
また、窓開け用切目６の端部の幅が拡大した形状であるものとすることができる。
【発明の効果】
【０００８】
この発明の封筒型伝票は、上述のような構成を有しており、折目線２で印字面を内側にして上下二つ折りにしたときに重なる位置に文字記入欄５と窓開け用切目６が設けられており、折り返した前記折目線２より下方の縁の糊１ｄの部分が文字記入欄５の余白部分に接着することにより封筒状となるため、上方に突出する部分を設ける必要がなく、その分、印字面として使用できる領域を広く確保することが可能となっている。
【発明を実施するための最良の形態】
【０００９】
以下、この発明の好適な実施形態を、図面を参照して説明する。
【００１０】
図１はこの発明の実施形態の封筒型伝票の正面図、図２は封筒型伝票の窓開け用切目６を設けた部分の断面図、図３は封筒型伝票の糊代４部分の表側紙１ａを剥がした状態を示す一部拡大正面図、図４は封筒型伝票の、印字面を内側にして二つ折りしたときの状態を示す正面図、図５は封筒型伝票の、ミシン目より外側の部分を切り取った状態を示す正面図、図６は封筒型伝票を開いたときの状態を示す正面図である。
【００１１】
この発明の封筒型伝票は、裏面に剥離層１ｃを設けた表側紙１ａの裏に糊１ｄ付きの裏側紙１ｂを接着した用紙１の折目線２より下方の縁に、表側紙１ａがスリッタ３により他の部分と切り離なされて剥離可能となっており、表側紙１ａを剥離すると裏側紙１ｂの糊１ｄの部分が表れるようになった糊代４を設け、さらに、前記折目線２で印字面を内側にして上下二つ折りにしたときに重なる位置において、折目線２より上方の縁付近に文字記入欄５を設けるとともに、折目線２より下方の縁付近に窓開け用切目６を設けたものとしている。
【００１２】
この実施形態の封筒型伝票は、図１、図２に示したように、Ａ４の単票用紙１で、裏全面に剥離層１ｃを設けた表側紙１ａの裏に全面に糊１ｄを塗布した裏側紙１ｂを接着した、いわばレーザープリンタ用のシール紙として市販されている用紙１を裏返しにして剥離紙側を印字面としたものとしている。
【００１３】
用紙１は横方向の切取線７と折目線２により、上段領域８、中段領域９及び下段領域１０の３つの領域に分けられている。前記切取線７と折目線２はいずれもミシン目とすることができる。上段領域８は、後述のように用紙１を折目線２で上下二つ折りにする際に切り離されるようにしており、特に必要なものではなく、最初から中段領域９及び下段領域１０のみで用紙１を構成してもよい。
【００１４】
給与明細等、この封筒型伝票の受領者に伝える情報を記載するのは中段領域９の印字面としており、上段領域８の印字面にはその控えを記載し、下段領域１０の印字面には何も記載しないものとしている。また、折目線２で上下二つ折りにしたときの用紙１の折目線２より上方の縁付近、すなわち中段領域９の上部には宛て名や日付等の適宜の事項が記載される文字記入欄５を２箇所設けている。
【００１５】
前記情報の記載は、レーザビームプリンタで印字することにより行うことができる。また、裏側紙１ｂには適宜の模様を付し、印字面に記載した内容が透けて見えないようになっている。
【００１６】
この用紙１（上段領域８を除く）の左右の端から約１センチメートルのところには、縦方向のミシン目１１，１２を設けており、開封するときに、このミシン目より外側の部分を切り取るようにしている。また、この用紙１の下端から約２．５センチメートルのところには横方向のミシン目１３を設けており、このミシン目１３を切ることにより、図６に示したような開封した状態にすることができる。
【００１７】
糊代４の部分と印字面との境目には表側紙１ａのみを切断したスリッタ３を入れてある。スリッタ３は、中段領域９の左右の下端部から下方に前記縦方向のミシン目１１，１２の外側を縦方向に延び、そして前記横方向のミシン目１３の外側に横方向に延び、縦にしたコ字状に形成されている。スリッタ３の両端部は、中段領域９の左右の下端部において、円弧状に上方に突出した形状となっており、用紙１を折目線２で二つ折りにしたときに、容易にこの両端部を剥離させて指で摘めるようになっている。
【００１８】
窓開け用切目６は、折目線２で上下二つ折りにしたときの用紙１の折目線２より下方の縁付近、すなわち下段領域１０の下部（前記ミシン目の外側）に設けている。窓開け用切目６は、裏側紙１ｂのみを切断したもので、前記文字記入欄５に対応した大きさ、形状としている。なお、表側紙１ａの印字面側には、窓開け用切目６に沿った線１４を印字し、この位置において裏側紙１ｂに窓開け用切目６が設けられていることが使用者にわかるようにしている。
【００１９】
印字された用紙１の糊代４部分の表側紙１ａを、スリッタ３の端部から剥がしていくと、図３に示したように、裏側紙１ｂの糊１ｄの部分が表れる。また、このとき、窓開け用切目６の内側部分１４が表側紙１ａに接着したままともに剥離し、前記文字記入欄５に対応した孔１５ができるようになっている。前記内側部分１４が表側紙１ａから剥離してしまう場合には、裏側から指で押さえるとよい。なお、窓開け用切目６は、その端部の幅が拡大した形状とすることにより、表側紙１ａとともにうまく剥がれるようにすることができる。さらに、スリッタ３のコーナー部１６に丸みをつければ、よりスムーズに表側紙１ａを剥がすことができる。
【００２０】
上段領域８を切取線７で切り離し、用紙１（中段領域９及び下段領域１０）を折目線２で印字面を内側にして二つに折ると、中段領域９に下段領域１０が前記糊１ｄの部分で接着し、図４に示した状態になり、文字記入欄５が表側に露出した封筒型伝票になる。文字記入欄５に宛て名とともに住所も印字し、切手を貼ればそのまま郵送できるようにすることもできる。
【００２１】
この封筒型伝票を受け取った人は、図５に示すように、前記縦方向のミシン目１１，１２より外側の部分を切り取り、さらに前記横方向のミシン目１３を切って下段領域１０を開くと、図６に示した状態となり、印字面に記載された内容を見ることができるようになる。なお、ミシン目とした折目線２を切って、中段領域９、下段領域１０を開くことにより、印字面に記載された内容を見ることができるようにしてもよい。
【００２２】
この封筒型伝票は、上記の通り、折目線２で上下二つ折りにしたときに重なる位置において、表側紙１ａの印字面の折目線２より上方の縁付近に文字記入欄５を設けており、この部分を従来の封筒型伝票のように突出させる必要がないため、その分、多くの情報を記載することが可能である。
【００２３】
以上がこの実施の形態の説明であり、給与明細書の例を示したが、封筒型の伝票であればどのようなもの、例えば請求書等、にも適用できる。また、全体や各部分の大きさ、形状、位置等は適宜変更して実施することができる。
【図面の簡単な説明】
【００２４】
【図１】この発明の実施形態の封筒型伝票の正面図である。
【図２】この発明の実施形態の封筒型伝票の断面図である。
【図３】この発明の実施形態の封筒型伝票の糊代部分の表側紙を剥がした状態を示す一部拡大正面図である。
【図４】この発明の実施形態の封筒型伝票の、印字面を内側にして二つ折りしたときの状態を示す正面図である。
【図５】この発明の実施形態の封筒型伝票の、ミシン目より外側の部分を切り取った状態を示す正面図である。
【図６】この発明の実施形態の封筒型伝票を開いたときの状態を示す正面図である。
【符号の説明】
【００２５】
１  用紙
１ａ  表側紙
１ｂ  裏側紙
１ｃ  剥離層
１ｄ  糊
２  折目線
３  スリッタ
４  糊代
５  文字記入欄
６  窓開け用切目
１４  窓開け用切目の内側部分
【図１】
2006035716.tif 000003
【図２】
2006035716.tif 000004
【図３】
2006035716.tif 000005
【図４】
2006035716.tif 000006
【図５】
2006035716.tif 000007
【図６】
2006035716.tif 000008